(57)【特許請求の範囲】
【請求項１】
ＩＴサービスを提供するネットワークコンピューティングクラスタ（１０１）を制御する方法であって、ネットワークコンピューティングクラスタ（１０１）が、１つまたは複数のネットワークコンピューティングステーション（２１、２２、３１）と、１つまたは複数の関連する局所発電機（１１５）によって供給される１つまたは複数の電力自給自足ネットワークコンピューティングステーション（１１、１２、１３）とを備え、１つまたは複数の電力自給自足ネットワークコンピューティングステーション（１１、１２、１３）および１つまたは複数の局所発電機（１１５）が局所電力網（４０）と接続されており、前記方法が、
１つまたは複数の電力自給自足ネットワークコンピューティングステーションのセンサ（１１５１）によって、１つまたは複数の局所発電機（１１５）によって生成された、局所的に生成された電力の量を決定するステップと、
１つまたは複数の電力自給自足ネットワークコンピューティングステーションの通信手段（１１１）によって、局所的に生成された電力の量に応じて、通信ネットワーク（２０００）を経由して、制御信号をネットワークコンピューティングクラスタ（１０１）の資源管理装置（３１）に送信するステップであって、制御信号が、ＩＴサービスを処理するための１つまたは複数の電力自給自足ネットワークコンピューティングステーション（１１、１２、１３）の能力を表示する、送信するステップと、
資源管理装置（３１）によって、通信ネットワーク（２０００）を経由して、前記制御信号を受信するステップと、
資源管理装置（３１）が前記制御信号によってトリガされると、資源管理装置（３１）によって、１つまたは複数のネットワークコンピューティングステーション（２１、２２）のネットワークコンピューティングステーションによって処理されたＩＴサービスを中断して伝送するための信号を、通信ネットワーク（２０００）を経由して、前記ネットワークコンピューティングステーションに送信するステップと、
中断されたＩＴサービスをさらに処理するために、前記ネットワークコンピューティングステーションによって処理された前記ＩＴサービスを、通信ネットワーク（２０００）を経由して、１つまたは複数の電力自給自足ネットワークコンピューティングステーション（１１、１２、１３）のうちの１つに伝送するステップとを含む、方法。
【請求項２】
局所電力網（４０）に関連する制御装置（１２５２）によって、電力センサ（１２５１）によって測定された、局所的に生成された電力および局所的に消費された電力の量を取り出すステップと、
制御装置（１２５２）によって、局所的に生成された電力および局所的に消費された電力の測定された量の差異に基づいて、局所余剰電力の量を計算するステップと、
局所的に生成された電力および局所的に消費された電力の測定された量の差異が事前に定義されたしきい値レベルに達するとき、または事前に定義されたしきい値レベルを超えるとき、ＩＴサービスを処理するための１つまたは複数の局所発電機（１１５）に関連する１つまたは複数の電力自給自足ネットワークコンピューティングステーション（１１、１２、１３）の能力を表示する制御信号を送信する前記ステップを、制御装置（１２５２）によってトリガするステップと
を含む、請求項１に記載の、ＩＴサービスを提供するネットワークコンピューティングクラスタ（１０１）を制御する方法。
【請求項３】
制御信号が、局所余剰電力の量を含み、
かつ／または、
事前に定義されたしきい値レベルが、少なくとも１つのＩＴサービスを処理するために必要とされる局所余剰電力の最少量を表示する
請求項２に記載の、ＩＴサービスを提供するネットワークコンピューティングクラスタ（１０１）を制御する方法。
【請求項４】
制御信号内に含まれる局所余剰電力の量に応じて、１つまたは複数の電力自給自足ネットワークコンピューティングステーション（１１、１２、１３）のそれぞれにエコロジー的価値を割り当てることによって、ＩＴサービスを処理するための能力を提供する１つまたは複数の電力自給自足ネットワークコンピューティングステーション（１１、１２、１３）を査定するステップと、
中断されたＩＴサービスをさらに処理するために、資源管理装置（３１）によって、最高のまたはより良好なエコロジー的価値を提供する１つまたは複数の電力自給自足ネットワークコンピューティングステーション（１１、１２、１３）のうちの１つを選択するステップと
を含む、請求項３に記載の、ＩＴサービスを提供するネットワークコンピューティングクラスタ（１０１）を制御する方法。
【請求項５】
中断されたＩＴサービスをさらに処理するために、資源管理装置（３１）によって、局所余剰電力の量および／またはエコロジー的価値を含む１つもしくは複数のパラメータのグループから選択された、１つもしくは複数の電力自給自足ネットワークコンピューティングステーション（１１、１２、１３）に関連する１つもしくは複数のパラメータに基づいて、１つまたは複数の電力自給自足ネットワークコンピューティングステーション（１１、１２、１３）を評価するステップと、
中断されたＩＴサービスをさらに処理するために、資源管理装置（３１）によって、１つまたは複数のパラメータに基づいて、最善の評価を提供する１つまたは複数の電力自給自足ネットワークコンピューティングステーション（１１、１２、１３）のうちの１つを選択するステップと
を含む、請求項３に記載の、ＩＴサービスを提供するネットワークコンピューティングクラスタ（１０１）を制御する方法。
【請求項６】
１つまたは複数の電力自給自足ネットワークコンピューティングステーション（１１、１２、１３）のうちの１つの局所資源管理クライアント（１１２）によって、１つまたは複数の電力自給自足ネットワークコンピューティングステーション（１１、１２、１３）のうちの１つの通信手段（１１１）を用いて、通信ネットワーク（２０００）を経由して、局所余剰電力の量を含む状態信号を受信して、受信された状態信号から局所余剰電力の量を抽出するステップと、
局所資源管理クライアント（１１２）によって、処理ユニット（１１７）によって処理された２つ以上のＩＴサービスの数を、１つまたは複数の電力自給自足ネットワークコンピューティングステーション（１１、１２、１３）のうちの１つの電源がオンにされた１つまたは複数の処理ブレード（１１７１、１１７２、１１７３、１１７４、１１７５、１１７６、１１７７）の数と比較するステップと、
電源がオンにされた１つまたは複数の処理ブレード（１１７１、１１７２、１１７３、１１７４、１１７５、１１７６、１１７７）の数が、処理ユニット（１１７）のすべての処理ブレード（１１７１、１１７２、１１７３、１１７４、１１７５、１１７６、１１７７）の数、処理ユニット（１１７）によって処理された２つ以上のＩＴサービスの数、および少なくとも１つのＩＴサービスを処理するために必要な余剰電力の最低値のしきい値のうち最少値に等しいように、それぞれ、１つまたは複数の処理ブレード（１１７１、１１７２、１１７３、１１７４、１１７５、１１７６、１１７７）の１つもしくは複数の処理ブレードのスイッチをオンにするように、またはオフにするように、局所資源管理クライアント（１１２）によって、局所電力制御装置（１１３）に催促するステップと
を含む、請求項２に記載の、ＩＴサービスを提供するネットワークコンピューティングクラスタ（１０１）を制御する方法。
【請求項７】
１つまたは複数の電力自給自足ネットワークコンピューティングステーション（１１、１２、１３）のうちの１つの局所電力制御装置（１１３）によって、処理ユニット（１１７）に一定の電力供給を提供するために、処理ユニット（１１７）のエネルギー需要に基づいて、かつ電力センサ（１２５１）を用いて測定された１つまたは複数の局所発電機（１１５）によって局所的に生成された電力の量に関する頻出クエリに対する応答に基づいて、１つまたは複数の電力自給自足ネットワークコンピューティングステーション（１１、１２、１３）のうちの１つの１つまたは複数の処理ブレード（１１７１、１１７２、１１７３、１１７４、１１７５、１１７６、１１７７）を備えた処理ユニット（１１７）に対する電力供給を制御するステップを含み、それによって、１つまたは複数の局所発電機（１１５）によって生成された余剰電力が存在する間、１つまたは複数の電力自給自足ネットワークコンピューティングステーション（１１、１２、１３）のうちの１つのアキュムレータ（１１４）が１つまたは複数の局所発電機（１１５）によって生成された電力で充電され、それによって、エネルギー需要が１つまたは複数の局所発電機（１１５）によって生成された電力よりもより高い間、アキュムレータ（１１４）が放電される
請求項１に記載の、ＩＴサービスを提供するネットワークコンピューティングクラスタ（１０１）を制御する方法。
【請求項８】
１つまたは複数の電力自給自足ネットワークコンピューティングステーション（１１、１２、１３）のうちの１つの局所資源管理クライアント（１１２）によって、好ましくは、電源スイッチ（１１６）から電源オフ信号を受信するステップと、
局所資源管理クライアント（１１２）によって、１つまたは複数の電力自給自足ネットワークコンピューティングステーション（１１、１２、１３）のうちの１つの処理ユニット（１１７）によって処理されたすべてのＩＴサービスの伝送を開始するステップと、
１つもしくは複数の電力自給自足ネットワークコンピューティングステーション（１１、１２、１３）のうちの１つの通信手段（１１１）を用いて、前記ＩＴサービスをさらに処理するために、局所資源管理クライアント（１１２）によって、通信ネットワーク（２０００）を経由して、１つもしくは複数のネットワークコンピューティングステーションの１つもしくは複数の他のネットワークコンピューティングステーションに関してかつ／または前記ＩＴサービスを引き継ぐことができる１つもしくは複数の電力自給自足ネットワークコンピューティングステーションの１つもしくは複数の他の電力自給自足ネットワークコンピューティングステーションに関して問い合わせて、資源管理装置（３１）から受信されたクエリの結果に従って、前記ＩＴサービスを伝送するステップと、
１つまたは複数の電力自給自足ネットワークコンピューティングステーション（１１、１２、１３）のうちの１つが遮断手順を実行していることを表示するために、局所資源管理クライアント（１１２）によって、通信ネットワーク（２０００）を経由して、１つまたは複数の電力自給自足ネットワークコンピューティングステーション（１１、１２、１３）のうちの１つのスイッチがオフにされていることを信号で資源管理装置（３１）に知らせるステップと、
局所資源管理クライアント（１１２）によって、１つまたは複数の電力自給自足ネットワークコンピューティングステーション（１１、１２、１３）のうちの１つのスイッチをオフにするように、１つまたは複数の電力自給自足ネットワークコンピューティングステーション（１１、１２、１３）のうちの１つの局所電力制御装置（１１３）に催促するステップと
を含む、請求項１に記載の、ＩＴサービスを提供するネットワークコンピューティングクラスタ（１０１）を制御する方法。
【請求項９】
１つまたは複数の関連する局所発電機（１１５）によって充電されたアキュムレータ（１１４）のアキュムレータ充電状態センサ（１１４１）によって、アキュムレータ充電状態センサ（１１４１）によって感知されたアキュムレータ充電状態値を信号で１つまたは複数の電力自給自足ネットワークコンピューティングステーション（１１、１２、１３）のうちの１つの局所電力制御装置（１１３）に知らせるステップと、
１つまたは複数の電力自給自足ネットワークコンピューティングステーション（１１、１２、１３）のうちの１つの局所資源管理クライアント（１１２）によって、１つまたは複数の電力自給自足ネットワークコンピューティングステーション（１１、１２、１３）のうちの１つの処理ユニット（１１７）によって処理された、いくつかのＩＴサービスを信号で局所電力制御装置（１１３）に知らせるステップと、
処理ユニット（１１７）によって処理されたＩＴサービスの数がゼロに等しく、かつ感知されたアキュムレータ充電状態値が完全に充電されたアキュムレータ（１１４）を表示する場合、局所電力制御装置（１１３）によって、１つまたは複数の電力自給自足ネットワークコンピューティングステーションのうちの１つ（１１）の待機モードを開始するステップであって、それによって、待機モードの間、１つまたは複数の電力自給自足ネットワークコンピューティングステーション（１１、１２、１３）のうちの１つの処理ユニット（１１７）が電力供給されない、ステップと
を含む、請求項１に記載の、ＩＴサービスを提供するネットワークコンピューティングクラスタ（１０１）を制御する方法。
【請求項１０】
資源管理装置（３１）によって、１つまたは複数のさらなるＩＴサービスを１つもしくは複数の電力自給自足ネットワークコンピューティングステーション（１１、１２、１３）のうちの少なくとも１つに割り当てるステップであって、１つもしくは複数の電力自給自足ネットワークコンピューティングステーション（１１、１２、１３）のうちの少なくとも１つが、通信ネットワーク（２０００）を経由して１つまたは複数のさらなるＩＴサービスを処理するための１つまたは複数の処理ブレード（１１７１、１１７２、１１７３、１１７４、１１７５、１１７６、１１７７）を備えた処理ユニット（１１７）を備える、ステップと、
１つもしくは複数の電力自給自足ネットワークコンピューティングステーション（１１、１２、１３）のうちの少なくとも１つの局所資源管理クライアント（１１２）によって、１つまたは複数のさらなるＩＴサービスを処理するために、１つまたは複数の処理ブレード（１１７１、１１７２、１１７３、１１７４、１１７５、１１７６、１１７７）のうちの１つにおいて、１つまたは複数のさらなるＩＴサービスのインスタンスを生成するステップと
を含む、請求項１に記載の、ＩＴサービスを提供するネットワークコンピューティングクラスタ（１０１）を制御する方法。
【請求項１１】
前記ネットワークコンピューティングステーションの通信手段を用いて、通信ネットワーク（２０００）を経由して、前記ネットワークコンピューティングステーションによって、前記ネットワークコンピューティングステーションによって処理された前記ＩＴサービスを中断して伝送するための信号を受信するステップと、
前記ネットワークコンピューティングステーションによって、通信ネットワーク（２０００）を経由して、前記ＩＴサービスの状態データを含む確認信号を資源管理装置（３１）に送信するステップと、
資源管理装置（３１）によって、前記ＩＴサービスの状態データを含む確認信号を受信するステップと、
中断されたＩＴサービスをさらに処理するために、資源管理装置（３１）によって、通信ネットワーク（２０００）を経由して、前記ＩＴサービスの状態データを１つまたは複数の電力自給自足ネットワークコンピューティングステーション（１１、１２、１３）のうちの１つに伝送するステップと
を含む、請求項１に記載の、ＩＴサービスを提供するネットワークコンピューティングクラスタ（１０１）を制御する方法。
【請求項１２】
ＩＴサービスを提供するネットワークコンピューティングクラスタ（１０１）であって、制御装置と、資源管理装置（３１）と、１つまたは複数のネットワークコンピューティングステーション（２１、２２、３１）と、１つまたは複数の関連する局所発電機（１１５）によって供給される１つまたは複数の電力自給自足ネットワークコンピューティングステーション（１１、１２、１３）とを備え、１つまたは複数の電力自給自足ネットワークコンピューティングステーション（１１、１２、１３）および１つまたは複数の局所発電機（１１５）が局所電力網（４０）と接続されており、
制御装置が、１つまたは複数の局所発電機（１１５）によって生成された、局所的に生成された電力の量を決定し、局所的に生成された電力の決定された量に応じて、１つまたは複数の電力自給自足ネットワークコンピューティングステーション（１１、１２、１３）のうちの１つをトリガして、通信ネットワーク（２０００）を経由して、制御信号を資源管理装置（３１）に送信するように構成され、制御信号が、ＩＴサービスを処理するための１つまたは複数の電力自給自足ネットワークコンピューティングステーション（１１、１２、１３）の能力を表示し、
資源管理装置（３１）が、通信ネットワーク（２０００）を経由して、前記制御信号を受信し、前記制御信号によってトリガされると、通信ネットワーク（２０００）を経由して、１つまたは複数のネットワークコンピューティングステーション（２１、２２）のネットワークコンピューティングステーションによって処理されたＩＴサービスを中断して伝送するための信号を前記ネットワークコンピューティングステーションに送信して、中断されたＩＴサービスをさらに処理するために、通信ネットワーク（２０００）を経由して、前記ネットワークコンピューティングステーションによって処理された前記ＩＴサービスを１つまたは複数の電力自給自足ネットワークコンピューティングステーション（１１、１２、１３）のうちの１つに伝送するように構成された、ＩＴサービスを提供するネットワークコンピューティングクラスタ（１０１）。
【発明の詳細な説明】
【技術分野】
【０００１】
本発明は、ＩＴサービス（ＩＴ＝情報技術）を提供するネットワークコンピューティングクラスタを制御する方法と、ネットワークコンピューティングクラスタの電力自給自足ネットワークコンピューティングステーション（ｐｏｗｅｒ  ａｕｔａｒｋｉｃ  ｎｅｔｗｏｒｋ  ｃｏｍｐｕｔｉｎｇ  ｓｔａｔｉｏｎ）とに関する。
【背景技術】
【０００２】
本発明は、好ましくは、電力の必要の増大が動機付けとなっている。合理的なコストに電力を提供することは、我々が今後、化石燃料がゆっくりと終わりを迎えるときに直面する主な課題のうちの１つであり、地球温暖化により、大気汚染を克服することは、人類にとって極めて重要である。
【０００３】
これら上述の課題により、我々は、電力会社が再生エネルギー資源、いわゆる、自然エネルギー資源に向けてどのようにその発電を適応し始めるかを現在考えている。加えて、新しい会社、そして今日のエネルギー「最終消費者」さえ、例えば、自らの家屋の屋根の上に太陽光発電装置をセットアップすることによって、電力サプライヤとして、再生可能エネルギー市場に参入している。発電におけるこの変化の結果として、やはり電力伝送も今後根本的な変化を経験することになる。伝送網、すなわち、送電系統は、グリーン電力生成固有の非集中的な性質、すなわち、自然エネルギー資源に基づく電力生成に適合しなければならない。しかし、これは、巨大な発電所に基づく集中化された電力生成手法のために最適化された今日の伝送網設計と異なる。将来、電力生産は、より分散される可能性が高く、例えば、小型の太陽光発電所またはブロックタイプ火力発電所から巨大な沖合のウィンドパークに及ぶ様々な種類の「発電所」同士の間の能力に大きなばらつきが存在することにもなる。
【０００４】
分散型の大規模グリーン電力生産配備の導入に伴う多くの問題が存在する。最も重要なもののいくつかは、以下の通りである：
（ｉ）ネットワークは、それらの電力源による送電系統内への電力注入の予測が困難な、大量の、好ましくは異なる電力資源に対処しなければならない。今日の完全に制御された電力発電所について可能な形で電力注入を予測することはできない。したがって、伝送網を安定した状態に維持することは、さらにいっそう困難になる。
（ｉｉ）再生エネルギー資源、例えば、自然エネルギー資源から生成された電力は、それが必要とされる場所で常に利用可能であるとは限らない。ドイツの一例は、海岸線でより多くの風が利用可能であるため、主に同国の北部に設置されているウィンドパークである。しかし、電力消費は、ドイツの南部でより高い。これは、遠い距離にわたって電力を輸送することを必要とし、高い送電損失を伴う。
（ｉｉｉ）生成される電力の量に大きなばらつきが存在し得るのが、多くの再生エネルギー資源の性質である。一例は、激しい雷雨の最中、すなわち、生産を超えた電力状態で生成される電力と、数分間でその雷雨がやんだ後、送電網を安定した状態に維持するにはあまりにも少ない電力を生み出す電力生産状態で生成される電力との間に大きなばらつきを有し得る風力発電所である。
（ｉｖ）「グリーン」生成された電力の生産におけるこの大きなばらつきにより、送電系統事業者は、供給ばらつきを補完するために、通常の発電機から待機電力源を設置することおよび／または当該電力源を割り当てることを余儀なくされる。
【０００５】
これらの新しい電力源を送電網に追加する影響を低減するのに役立つはずである多くの活動、例えば、送電系統における輸送能力を拡張すること、長距離にわたる送電に関してＤＣ（ＤＣ＝直流）に切り替えること、揚水型発電所などの新しい「電力貯蔵」を構築することが存在する。ネットワーク内に電力生成変動の大きなばらつきが存在するときですら、電力が生成される場所から、電力が使用される場所まで再生エネルギーを効率的に輸送するのを助けるはずである多くの技術が開発されている。しかし、いずれの電力輸送も送電損失が伴い、不幸にも、より高い発電コストももたらすという問題にこれらの手法の欠点を見ることができる。電力の必要性が増大するとき、送電損失は高まり、結果として、発電コストもやはり高まる。
【発明の概要】
【発明が解決しようとする課題】
【０００６】
ネットワークコンピューティングクラスタの制御を改善することが本発明の目的である。
【課題を解決するための手段】
【０００７】
本発明の目的は、ＩＴサービスを提供するネットワークコンピューティングクラスタを制御するための方法によって達成され、ネットワークコンピューティングクラスタは、１つまたは複数のネットワークコンピューティングステーションと、１つまたは複数の関連する関連する局所発電機によって供給される１つまたは複数の電力自給自足ネットワークコンピューティングステーションとを備え、１つまたは複数の電力自給自足ネットワークコンピューティングステーションおよび１つまたは複数の局所発電機は、局所電力網を用いて接続されており、１つまたは複数の局所発電機によって生成された、局所的に生成された電力の量が決定され、局所的に生成された電力の量に応じて、通信ネットワークを経由して、制御信号がネットワークコンピューティングクラスタの資源管理装置に送信され、制御信号は、ＩＴサービスを処理するための１つまたは複数の電力自給自足ネットワークコンピューティングステーションの能力を表示し、資源管理装置は、通信ネットワークを経由して、前記制御信号を受信し、資源管理装置は、１つまたは複数のネットワークコンピューティングステーションのネットワークコンピューティングステーションによって処置されたＩＴサービスを伝送するための信号を、通信ネットワークを経由して、前記ネットワークコンピューティングステーションに送信し、前記ＩＴサービスを伝送するための信号を送信することは、前記制御信号によってトリガされ、ＩＴサービスをさらに処理するために、前記ネットワークコンピューティングステーションによって処理された前記ＩＴサービスは、通信ネットワークを経由して、１つまたは複数の電力自給自足ネットワークコンピューティングステーションのうちの１つに伝送される。本発明の目的は、ＩＴサービスを提供するネットワークコンピューティングクラスタによっても達成され、ネットワークコンピューティングクラスタは、制御装置と、資源管理装置と、１つまたは複数のネットワークコンピューティングステーションと、１つまたは複数の関連する局所発電機によって供給される１つまたは複数の電力自給自足ネットワークコンピューティングステーションとを備え、１つまたは複数の電力自給自足ネットワークコンピューティングステーションおよび１つまたは複数の局所発電機は、局所電力網を用いて接続されており、制御装置は、１つまたは複数の局所発電機によって生成された、局所的に生成された電力の量を決定して、局所的に生成された電力の決定された量に応じて、通信ネットワークを経由して、制御信号を資源管理装置に送信するように、１つまたは複数の電力自給自足ネットワークコンピューティングステーションのうちの１つをトリガするように構成され、制御信号は、ＩＴサービスを処理するための１つまたは複数の電力自給自足ネットワークコンピューティングステーションの能力を表示し、資源管理装置は、通信ネットワークを経由して、前記制御信号を受信して、前記制御信号によってトリガされて、ＩＴサービスをさらに処理するために、通信ネットワークを経由して、前記ネットワークコンピューティングステーションによって処理された前記ＩＴサービスを１つまたは複数の電力自給自足ネットワークコンピューティングステーションのうちの１つに伝送するために、通信ネットワークを経由して、１つまたは複数のネットワークコンピューティングステーションのネットワークコンピューティングステーションによって処理されたＩＴサービスを伝送するための信号を前記ネットワークコンピューティングステーションに送信するように構成される。
【０００８】
本発明は、送電損失を低減させ、発電コストも低減させ、同時に、送電系統を安定させるために、先行技術の知られている形態よりも、驚くほど異なり、かつ効果的な手法を提供する。本発明による実施形態は、上述のすべての負の側面と共に、生成場所から遠い消費場所まで電力を輸送することを回避する。代わりに、本発明による実施形態は、電力生成の現在の「ホットな」場所、すなわち、電力の余剰生産および／または余剰生成を示す場所に対して、好ましくは、一時的な電力消費タスクの「移動」、すなわち、ＩＴサービスの処理を提供する。それによって、電力の生成の場所と電力の消費の場所との間の平均距離を削減して、それを最小限に抑える。さらに、好ましくは、余剰電力は電力自給自足ネットワークコンピューティングステーションに供給するために使用されるため、電力自給自足ネットワークコンピューティングステーションの所有者は、公益事業および／もしくは電力プロバイダとのいかなる相互作用ならびに／または義務も回避することが可能である。「局所」という表現は、電力自給自足ネットワークコンピューティングステーションおよび局所発電機の地所の周辺内の領域、例えば、個人世帯、公益事業プロバイダによって所有される送電系統の下位部門、商業建築物、製造工場または製造プラント、公益事業プロバイダによって所有される施設または建物を指定する。「電力自給自足ネットワークコンピューティングステーション」という表現は、関連する局所発電機によって生成された電力が供給可能であり、それによって、電力自給自足ネットワークコンピューティングステーションが送電系統から独立するネットワークコンピューティングステーションを指す。
【０００９】
さらに、ＩＴサービスの伝送は、ライブマイグレーション手順（ｌｉｖｅ  ｍｉｇｒａｔｉｎｇ  ｐｒｏｃｅｄｕｒｅ）によって実現することが可能である。ＩＴサービスを伝送するための信号は、ＩＴサービスをさらに処理することになる１つまたは複数の電力自給自足ネットワークコンピューティングステーションのうちの１つについて、前記ネットワークコンピューティングステーションに知らせる。ＩＴサービスをさらに処理するために必要とされるデータは、ＩＴサービスが、依然として、前記ネットワークコンピューティングステーションによって処理されている間に、１つまたは複数の電力自給自足ネットワークコンピューティングステーションのうちの１つに複写される。データを複写するプロセスが終了した後で、ＩＴサービスは、中断されて、好ましくは、その複写プロセスの間に発生したデータの変化を表示する追加のデータと共に、１つまたは複数の電力自給自足ネットワークコンピューティングステーションのうちの１つに伝送される。次いで、ＩＴサービスをさらに処理するために必要とされるルーティングデータを、１つもしくは複数の電力自給自足ネットワークコンピューティングステーションのうちの１つにおいてかつ／または通信ネットワーク内で更新することが可能である。それによって、ＩＴサービスの伝送またはライブマイグレーションを継ぎ目なく実行することが可能であり、すなわち、ＩＴサービスの処理の中断は短く、好ましくは、１秒未満であり、かつ／またはＩＴサービスによって提供されるサービスの品質は影響を受けない。以下の説明において、ＩＴサービスの伝送は、上述のように理解されよう。
【００１０】
エコロジー的に生産された電力は、ＩＴサービスを処理するために、特に、いかなる送電損失も伴わずに、その生産の場所において局所的に消費されるため、その結果として、本発明の実施形態は、エコロジー的エネルギーバランスの全体的な改善を実現する。
【００１１】
加えて、１つまたは複数の局所発電機に関連し、かつ局所電力網に接続された１つまたは複数の電力自給自足ネットワークコンピューティングステーションの所有者は、自らの１つまたは複数の電力自給自足ネットワークコンピューティングステーションに電力を提供するために余剰電力を使用することが可能であるため、ＩＴサービスは、本発明による実施形態によって、より費用効率が高く処理され得る。余剰電力は、局所発電機によって局所的に生成される。本発明の実施形態は、送電系統が電力で飽和状態であるため、直接的な形で販売できない、局所発電機によって生成された余剰電力が、電力によって無料で電力供給されるＩＴサービスを処理するための電力を提供するために使用されることを可能にする。これは、余剰電力が無駄にされず、それによって、電力が保存されることを意味する。さらに、局所発電機は、火力および／または電力を生成することが可能であり、電力自給自足ネットワークコンピューティングステーションの廃熱を火力として販売および使用することが可能である。
【００１２】
本発明の実施形態によれば、ネットワークコンピューティングステーションによって処理されたＩＴサービスは、資源管理装置を用いて、電力自給自足ネットワークコンピューティングステーションに継ぎ目なく伝送できる。それによって、送電系統を通じた配電、ならびにネットワークコンピューティングクラスタを通じたＩＴサービスの処理の計算負荷の両方は、電力の生成の分散および／またはＩＴサービスを処理する必要性など、環境パラメータの変化に迅速に適合できる。その結果、資源管理装置は、電力の生成および／またはＩＴサービスの処理に関する負荷分散機能性を提供する。ネットワークコンピューティングステーションは、関連する局所発電機によって供給されず、局所送電系統ではない送電系統によってサポートされることが好ましい。資源管理装置は、１つまたは複数のネットワークコンピューティングステーション上および／またはネットワークコンピューティングクラスタの指定されたサーバノード上で実行されるコンピュータプログラム製品であってよい。資源管理装置は、ネットワークコンピューティングクラスタのそれぞれ指定されたネットワークコンピューティングステーションであることも考えられる。
【００１３】
さらに、送電系統事業者および／または公益事業プロバイダは、太陽光発電、風力エネルギーなど、環境保全技術の不安定なエネルギー供給をバックアップするために、予備のエネルギー発生器を使わなくてよい。
【００１４】
特に、関連する局所発電機がブロックタイプ火力発電所の一部である場合、ＩＴサービスを処理している間の電力自給自足ネットワークコンピューティングステーションの廃熱をブロックタイプ火力発電所によって生成された熱と組み合わせることが可能である。そのような場合、２つのさらなる利点が存在する：すなわち、電力自給自足ネットワークコンピューティングステーションは、ＩＴサービスを処理している間、廃熱を再使用することによって冷却されること、さらに電力自給自足ネットワークコンピューティングステーションの追加の冷却に関して、より少ないエネルギーしか必要とされないこと、である。
【００１５】
さらなる利点は、従属クレームによって表示される本発明の実施形態によって達成される。
【００１６】
好ましくは、１つまたは複数の局所発電機によって局所的に生成された電力の量を決定するための制御装置は、１つもしくは複数の局所発電機の１つの局所発電機の制御装置および／または１つもしくは複数の電力自給自足ネットワークコンピューティングステーションの局所電力制御装置である。制御信号を送信するように１つまたは複数の電力自給自足ネットワークコンピューティングステーションのうちの１つをトリガすることは、１つもしくは複数の電力自給自足ネットワークコンピューティングステーションのうちの１つのスイッチをオンにすることによって、かつ／または１つもしくは複数の電力自給自足ネットワークコンピューティングステーションのうちの１つに供給している１つまたは複数の局所発電機の１つの局所発電機のスイッチをオンにすることによって開始されることが可能である。
【００１７】
本発明の好ましい実施形態によれば、局所電力網に関連する制御装置は、電力センサによって測定された、局所的に生成された電力および局所的に消費された電力の量を取り出す。好ましくは、この電力センサは、ワットメータである。制御装置は、局所的に生成された電力および局所的に消費された電力の測定された量の差異に基づいて、局所余剰電力の量を計算する。この消費された電力は、ＩＴサービスを処理するために利用可能でないが、別に必要とされる必要電力である。さらに、制御装置は、局所的に生成された電力および局所的に消費された電力の測定された量の差異が、事前に定義されたしきい値レベルに達するとき、または事前に定義されたしきい値レベルを超えるとき、ＩＴサービスを処理するための１つまたは複数の電力自給自足ネットワークコンピューティングステーションの能力を表示する制御信号を送信することをトリガする。１つまたは複数の電力自給自足ネットワークコンピューティングステーションは、１つまたは複数の局所発電機と関連付けられる。好ましくは、事前に定義されたしきい値レベルは、少なくとも１つのＩＴサービスを処理するために必要とされる少なくとも最少電力に等しい電力値である。
【００１８】
あるいは、局所電力網に関連する制御装置が、局所的に生成された電力の量を決定するために電力センサによって測定された、局所的に生成された量、および電力センサによって測定された１つまたは複数の局所発電機の負荷を取り出すことも可能である。制御装置は、局所的に生成された電力の測定された量および測定された負荷の差異に基づいて、局所余剰電力の量を計算する。消費電力の負荷が測定される。さらに、上述のように、制御装置は、局所的に生成された電力および局所的に消費された電力の測定された量の差異が事前に定義されたしきい値レベルを超えるとき、ＩＴサービスを処理するための１つまたは複数の局所発電機に関連する１つまたは複数の電力自給自足ネットワークコンピューティングステーションの能力を表示する制御信号を送信することをトリガする。
【００１９】
本発明の好ましい実施形態によれば、制御信号は、局所余剰電力の量を含む。しかし、制御信号が局所余剰電力の量を含むことは必要とされない。制御信号が局所余剰電力の量を含まない場合、制御信号は、電力の量が、１つもしくは複数の局所発電機に関連する１つの電力自給自足ネットワークコンピューティングステーションをブートするために、かつ／または１つのＩＴサービスを処理するために十分であること、あるいは、前記制御信号をトリガするために使用され得る、事前に定義されたしきい値レベルに対応するいくつかのＩＴサービスを処理するために十分であることを表示する。余剰電力の量を含む制御信号を提供する本発明の実施形態は、ネットワークコンピューティングクラスタを通じてＩＴサービスを処理するための負荷分散に関してより高い可変性を示す。
【００２０】
本発明の好ましい実施形態によれば、事前に定義されたしきい値レベルは、少なくとも１つのＩＴサービスを処理するために必要とされる局所余剰電力の最少量を表示する。
【００２１】
本発明の好ましい実施形態によれば、制御信号内に含まれる局所余剰電力の量に応じて、ＩＴサービスを処理するための能力を提供する１つまたは複数の電力自給自足ネットワークコンピューティングステーションは、１つまたは複数の電力自給自足ネットワークコンピューティングステーションのそれぞれにエコロジー的価値を割り当てることによって査定される。例えば、このエコロジー的価値は、１つもしくは複数の電力自給自足ネットワークコンピューティングステーションおよび／または１つもしくは複数の関連する局所発電機を特徴付ける二酸化炭素排出率に関係し得る。二酸化炭素排出率に関係するエコロジー的価値は、二酸化炭素排出率の相反価値であることが考えられる。これは、１つまたは複数の電力自給自足ネットワークコンピューティングステーションだけが査定されることが可能であり、その１つまたは複数の電力自給自足ネットワークコンピューティングステーションは、事前に定義されたしきい値レベルを超え、かつ／または少なくとも１つのＩＴサービスを処理するために十分な局所余剰電力の量を提供することを意味する。次いで、資源管理装置は、最高のまたはより良好なエコロジー的価値を提供するＩＴサービスをさらに処理するために、１つまたは複数の電力自給自足ネットワークコンピューティングステーションのうちの１つを選択する。それによって、地球温暖化を低減することが可能である。
【００２２】
本発明の好ましい実施形態によれば、資源管理装置は、ＩＴサービスをさらに処理するために、１つまたは複数の電力自給自足ネットワークコンピューティングステーションを評価する。この評価は、１つまたは複数の電力自給自足ネットワークコンピューティングステーションに関連する１つまたは複数のパラメータに基づく。この１つもしくは複数のパラメータは、局所余剰電力の量および／またはエコロジー的価値を含む１つもしくは複数のパラメータのグループから選択される。この１つまたは複数のパラメータのグループは、１つまたは複数の局所発電機によって処分可能な電力限度を、好ましくは、事前に定義された期間の間に表示できる１つまたは複数の局所発電機に関連する送電系統プロバイダ特定値を含むことが可能である。資源管理装置は、１つまたは複数のパラメータに基づいて、最善の評価を提供するＩＴサービスをさらに処理するために、１つまたは複数の電力自給自足ネットワークコンピューティングステーションのうちの１つを選択する。例えば、最善の評価を提供するＩＴサービスをさらに処理するための電力自給自足ネットワークコンピューティングステーションは、１つまたは複数のパラメータの数学関数を評価する評価によって決定される。１つもしくは複数のパラメータの数学関数は、１つもしくは複数のパラメータの和、積、または最大値であることが好ましい。それによって、最善の評価を提供するＩＴサービスをさらに処理するための電力自給自足ネットワークコンピューティングステーションは、その評価が少なくともエコロジー的価値に基づくとき、最高のまたはより良好なエコロジー的価値を提供する。
【００２３】
本発明の好ましい実施形態によれば、１つまたは複数の電力自給自足ネットワークコンピューティングステーションのうちの１つの局所資源管理クライアントは、１つまたは複数の電力自給自足ネットワークコンピューティングステーションのうちの１つの通信手段を用いて、通信ネットワークを経由して、局所余剰電力の量を含む状態信号を受信して、その受信された状態信号から局所余剰電力の量が抽出される。資源管理クライアントは、１つもしくは複数の電力自給自足ネットワークコンピューティングステーション上で実行されるコンピュータプログラム製品および／または１つもしくは複数の電力自給自足ネットワークコンピューティングステーション内に備えられたハードウェア手段、例えば、制御装置であることが考えられる。好ましくは、局所資源管理クライアントは、その受信された状態信号から局所余剰電力の量を抽出する。局所資源管理クライアントは、処理ユニットによって処理された２つ以上のＩＴサービスのうちのいくつかを、１つまたは複数の電力自給自足ネットワークコンピューティングステーションのうちの１つの電源がオンにされた１つまたは複数の処理ブレードのうちのいくつかと比較する。処理ユニットの処理ブレードを用いて、１つまたは複数のＩＴサービスを並行して処理することが可能である。好ましくは、処理ブレードは、少なくとも中央処理装置と、データを格納するためのメモリと、入出力制御装置とを備える。さらに、局所資源管理クライアントは、電源がオンにされた１つまたは複数の処理ブレードの数が、処理ユニットのすべての処理ブレードのうちのいくつか、処理ユニットによって処理された２つ以上のＩＴサービスの数、ならびに／または局所余剰電力の量の下限、および電源がオンにされた１つもしくは複数の処理ブレードのうちの１つの電力消費を少なくとも１で乗じたものの最小値に等しいように、それぞれ、１つもしくは複数の処理ブレードの１つもしくは複数の処理ブレードのスイッチをオンにするように、またはオフにするように、局所電力制御装置に催促する。この下限は、実数を次に最も小さい整数にマッピングする数学関数である。さらに、余剰電力の量の下限、および電源がオンにされた１つまたは複数の処理ブレードのうちの１つの電力消費を少なくとも１で乗じたものは、少なくとも１つのＩＴサービスを処理するために必要な余剰電力の最小値のしきい値を画定する。それによって、ＩＴサービスを処理するための最大パフォーマンスは、同時に、ＩＴサービスを処理するための電力消費が低減される本発明の実施形態などを用いて達成可能である。
【００２４】
本発明の好ましい実施形態によれば、１つまたは複数の電力自給自足ネットワークコンピューティングステーションのうちの１つの局所電力制御装置は、処理ユニットのエネルギー需要に基づいて、かつ局所的に生成された電力の量に関する頻出クエリに対する応答に基づいて、１つまたは複数の電力自給自足ネットワークコンピューティングステーションのうちの１つの処理ユニットに対する電力供給を制御する。１つまたは複数の電力自給自足ネットワークコンピューティングステーションのうちの１つの処理ユニットは、１つまたは複数の処理ブレードを備える。局所的に生成された電力の量は、１つまたは複数の局所発電機によって生成される。電力センサ、好ましくは、ワットメータは、局所的に生成された電力の量を測定する。１つまたは複数の局所発電機によって生成された余剰電力が存在する間、１つまたは複数の電力自給自足ネットワークコンピューティングステーションのうちの１つのアキュムレータは、１つまたは複数の局所発電機によって生成された電力で充電される。処理ユニットに一定の電力供給を提供するために、エネルギー需要が１つまたは複数の局所発電機によって生成された電力よりもより高い間、このアキュムレータは放電される。処理ユニットのエネルギー需要と、所定の期間の間に局所的に生成された電力の量に関する頻出クエリに対する応答との間の差異として、１つまたは複数の局所発電機によって生成された余剰電力を決定することが可能である。好ましくは、この所定の期間は、１秒から１０分を含む。それによって、ＩＴサービスを処理する品質を強化する、処理ユニットに対する一定の電力供給を保証することが可能である。局所的に生成された電力の量が変動的な環境パラメータに依存するとき、アキュムレータを用いて局所的に生成された電力をバッファリングせずに、処理ユニットの一定の電力供給を保証することはできない。かかる変動的な環境パラメータは、例えば、風力、風向、日照時間、雲量、および／または潮せきである。
【００２５】
本発明の好ましい実施形態によれば、１つまたは複数の電力自給自足ネットワークコンピューティングステーションのうちの１つの局所資源管理クライアントは、電源オフ信号を受信する。好ましくは、電源オフ信号は電源スイッチから受信される。電源スイッチは、１つまたは複数の局所発電機の所有者によってアクティブ化され得る。１つまたは複数の電力自給自足ネットワークコンピューティングステーションの所有者および１つまたは複数の関連する局所発電機の所有者は同一であることが考えられ、または異なることも考えられる。局所資源管理クライアントは、１つまたは複数の電力自給自足ネットワークコンピューティングステーションのうちの１つの処理ユニットによって処理されたすべてのＩＴサービスの伝送を開始する。局所資源管理クライアントは、１つまたは複数の電力自給自足ネットワークコンピューティングステーションのうちの１つの通信手段を用いて、前記ＩＴサービスをさらに処理するために、通信ネットワークを経由して、１つもしくは複数のネットワークコンピューティングステーションの１つもしくは複数の他のネットワークコンピューティングステーションに関してかつ／または前記ＩＴサービスを引き継ぐことができる１つもしくは複数の電力自給自足ネットワークコンピューティングステーションの１つもしくは複数の他のネットワークコンピューティングステーションに関して、好ましくは、資源管理装置に問い合わせる。前記ＩＴサービスは、資源管理装置から受信されたクエリの結果に従って、好ましくは、資源管理装置、１つもしくは複数の他のネットワークコンピューティングステーション、ならびに別のネットワークコンピューティングステーションおよび／または１つもしくは複数の他のネットワークコンピューティングステーションに伝送される。クエリの結果は、前記ＩＴサービスのうちの１つもしくは複数をさらに処理するための能力および／または電力を有する１つもしくは複数の他のネットワークコンピューティングステーションならびに／あるいは１つもしくは複数の他電力自給自足ネットワークコンピューティングステーションを含む。好ましくは、１つもしくは複数の他のネットワークコンピューティングステーションおよび／または１つもしくは複数の他の電力自給自足ネットワークコンピューティングステーションは、再生可能なエネルギーによって電力供給される。局所資源管理クライアントは、１つまたは複数の電力自給自足ネットワークコンピューティングステーションのうちの１つが遮断手順を実行していることを表示するために、通信ネットワークを経由して、１つまたは複数の電力自給自足ネットワークコンピューティングステーションのうちの１つのスイッチがオフにされていることを信号で資源管理装置に知らせる。局所資源管理クライアントは、１つまたは複数の電力自給自足ネットワークコンピューティングステーションのうちの１つのスイッチをオフにするように、１つまたは複数の電力自給自足ネットワークコンピューティングステーションのうちの１つの局所電力制御装置に催促する。これは、１つまたは複数の電力自給自足ネットワークコンピューティングステーションのうちの１つのスイッチがオフにされる前に、実行プロセス、すなわち、ＩＴサービスのライブマイグレーションが実行されることを意味する。その場所、すなわち、それらの実行プロセスが伝送される１つまたは複数の電力自給自足ネットワークコンピューティングステーションのうちの１つは、資源管理装置から受信される。この遮断手順は、すべてのプロセスが成功裏に移動されるとすぐに開始される。それによって、その１つまたは複数の電力自給自足ネットワークコンピューティングステーションの別の電力自給自足ネットワークコンピューティングステーションまたはネットワークコンピューティングステーションにおいて、ＩＴサービスの処理を再開せずに、ＩＴサービスの処理を終了することが可能である。資源管理装置は、ＩＴサービスを継ぎ目なくさらに処理するために、異なる電力自給自足ネットワークコンピューティングステーションまたはネットワークコンピューティングステーションを割り当てることができる。その結果、ＩＴサービスを処理するための処理時間および電力消費を低減することが可能である。
【００２６】
本発明の好ましい実施形態によれば、１つまたは複数の関連する局所発電機によって充電されたアキュムレータのアキュムレータ充電状態センサは、アキュムレータ充電状態センサによって感知されたアキュムレータ充電状態値を信号で１つまたは複数の電力自給自足ネットワークコンピューティングステーションのうちの１つの局所電力制御装置に知らせる。１つまたは複数の電力自給自足ネットワークコンピューティングステーションのうちの１つの局所資源管理クライアントは、１つまたは複数の電力自給自足ネットワークコンピューティングステーションのうちの１つの処理ユニットによって処理された、いくつかのＩＴサービスを信号で局所電力制御装置に知らせる。処理ユニットによって処理されたＩＴサービスの数がゼロに等しく、かつ感知されたアキュムレータ充電状態値が完全に充電されたアキュムレータを表示する場合、局所電力制御装置は、１つまたは複数の電力自給自足ネットワークコンピューティングステーションのうちの１つの待機モードを開始する。待機モードの間、１つまたは複数の電力自給自足ネットワークコンピューティングステーションのうちの１つの処理ユニットは電源供給されない。それによって、ＩＴサービスを処理する必要が存在しない間、および／またはアキュムレータを充電している間、電力を保存することが可能である。
【００２７】
１つまたは複数の電力自給自足ネットワークコンピューティングステーションのうちの１つの局所資源管理クライアントは、１つまたは複数の電力自給自足ネットワークコンピューティングステーションのうちの１つの処理ユニットによって処理された、いくつかのＩＴサービスを信号で局所電力制御装置に知らせることも可能である。処理ユニットによって処理されたＩＴサービスの数がゼロである場合、局所電力制御装置は、１つまたは複数の電力自給自足ネットワークコンピューティングステーションのうちの１つの待機モードを開始する。待機モードの間、１つまたは複数の電力自給自足ネットワークコンピューティングステーションのうちの１つの処理ユニットは、電源供給されない。その結果、ＩＴサービスを処理する必要が存在しない間、電力を保存することが可能である。
【００２８】
本発明の好ましい実施形態によれば、資源管理装置は、１つもしくは複数のさらなるＩＴサービスを１つもしくは複数の電力自給自足ネットワークコンピューティングステーションのうちの１つおよび／または１つもしくは複数の電力自給自足ネットワークコンピューティングステーションの別の電力自給自足ネットワークコンピューティングステーションに割り当て、１つもしくは複数の電力自給自足ネットワークコンピューティングステーションのうちの１つおよび／または１つもしくは複数の電力自給自足ネットワークコンピューティングステーションのうちの他の電力自給自足ネットワークコンピューティングステーションは、通信ネットワークを経由して、１つまたは複数のさらなるＩＴサービスを処理するための１つまたは複数の処理ブレードを備えた処理ユニットを備える。１つもしくは複数の電力自給自足ネットワークコンピューティングステーションのうちの１つおよび／または１つもしくは複数の電力自給自足ネットワークコンピューティングステーションのうちの他の電力自給自足ネットワークコンピューティングステーションの局所資源管理クライアントは、１つまたは複数のさらなるＩＴサービスを処理するために、１つまたは複数の処理ブレードのうちの１つにおいて、１つまたは複数のさらなるＩＴサービスのインスタンスを生成する。
【００２９】
好ましくは、１つまたは複数のさらなるＩＴサービスを割り当てるために、２つ以上の電力自給自足ネットワークコンピューティングステーションの局所資源管理クライアントは、通信手段を用いて、通信ネットワークを経由して、局所余剰電力を生成している１つまたは複数の関連する局所発電機の電力センサを用いて感知された局所余剰電力値を信号で資源管理装置に知らせる。この２つ以上の電力自給自足ネットワークコンピューティングステーションは、少なくとも１つの電力自給自足ネットワークコンピューティングステーションと、別の電力自給自足ネットワークコンピューティングステーションとを備える。さらに、この２つ以上の電力自給自足ネットワークコンピューティングステーションは、局所余剰電力を生成している１つまたは複数の関連する局所発電機に関連する１つまたは複数の電力自給自足ネットワークコンピューティングステーションの電力自給自足ネットワークコンピューティングステーションである。資源管理装置は、最高のエコロジー的価値を提供する局所余剰電力を生成している１つまたは複数の局所発電機に関連する２つ以上の電力自給自足ネットワークコンピューティングステーションの１つとして、電力自給自足ネットワークコンピューティングステーションを選択する。２つ以上の電力自給自足ネットワークコンピューティングステーションのそれぞれは、数によって指定されるエコロジー的価値を用いて査定される。
【００３０】
さらに、最高のエコロジー的価値を提供する２つ以上の電力自給自足ネットワークコンピューティングステーションのうちの１つとして電力自給自足ネットワークコンピューティングステーションを選択するために、資源管理装置は、１つまたは複数の電力自給自足ネットワークコンピューティングステーションをそれぞれ評価する１つまたは複数のエコロジー的価値のリストにアクセスすることが可能である。この１つまたは複数のエコロジー的価値のリストは、資源管理装置に関連するデータベースに格納可能である。資源管理装置は、その１つまたは複数のエコロジー的価値のリストから、局所余剰電力を生成している１つまたは複数の局所発電機に関連する２つ以上の電力自給自足ネットワークコンピューティングステーションのそれぞれに関するそれぞれのエコロジー的価値を抽出する。資源管理装置は、最高のエコロジー的価値を提供する２つ以上の電力自給自足ネットワークコンピューティングステーションのうちの１つとして電力自給自足ネットワークコンピューティングステーションを選択するために、抽出されたエコロジー的価値を比較する。資源管理装置は、１つまたは複数の電力自給自足ネットワークコンピューティングステーションをそれぞれ査定する１つまたは複数の査定値のさらなるリストにアクセスことも可能である。例えば、１つまたは複数の査定値のさらなるリストは、１つまたは複数の電力自給自足ネットワークコンピューティングステーションによってＩＴサービスを処理する品質をそれぞれ査定する。事前に定義された最低品質のＩＴサービス処理を提供するか、または非劣化品質のＩＴサービス処理を提供する電力自給自足ネットワークコンピューティングステーションだけを選択できることが可能である。
【００３１】
本発明の好ましい実施形態によれば、前記ネットワークコンピューティングステーションは、前記ネットワークコンピューティングステーションの通信手段を用いて、通信ネットワークを経由して、前記ネットワークコンピューティングステーションによって処理された前記ＩＴサービスを伝送するための信号を受信する。前記ネットワークコンピューティングステーションは、通信ネットワークを経由して、前記ＩＴサービスの状態データを含む確認信号を資源管理装置に送信する。資源管理装置は、前記ＩＴサービスの状態データを含む確認信号を受信する。資源管理装置は、ＩＴサービスをさらに処理するために、通信ネットワークを経由して、前記ＩＴサービスの状態データを１つまたは複数の電力自給自足ネットワークコンピューティングステーションのうちの１つに伝送する。前記ＩＴサービスの状態データを用いて、１つまたは複数の電力自給自足ネットワークコンピューティングステーションのうちの１つの処理ユニットによって前記ＩＴサービスを継ぎ目なくさらに処理することが可能である。「前記ＩＴサービスを伝送すること」は「前記ＩＴサービスのライブマイグレーションを行うこと」と理解できる。前記ＩＴサービスをさらに処理するために必要とされるデータは、前記ＩＴサービスの状態データを含み得る。
【００３２】
本発明のこれらの特徴および利点、ならびにさらなる特徴および利点は、添付の図面と共に、現在好ましい例示的な実施形態の以下の詳細な説明を読むことによって、より良好に理解されよう。
【図面の簡単な説明】
【００３３】
【図１】ネットワークコンピューティングクラスタの概略図である。
【図２ａ】関連する局所発電機を備えた電力自給自足ネットワークコンピューティングステーションの第１の好ましい実施形態の概略図である。
【図２ｂ】関連する局所発電機を備えた電力自給自足ネットワークコンピューティングステーションの第２の好ましい実施形態の概略図である。
【図３】処理ユニットの処理ブレードの好ましい実施形態の概略図である。
【図４】メタネットワークコンピューティングクラスタの概略図である。
【発明を実施するための形態】
【００３４】
図１は、ＩＴサービスを提供するネットワークコンピューティングクラスタ１０１の概略図を示す。ネットワークコンピューティングクラスタ１０１は、３つのネットワークコンピューティングステーション２１、２２、３１と、３つの自給自足ネットワークコンピューティングステーション１１、１２、１３とを備える。２つの自給自足ネットワークコンピューティングステーション１２、１３は、２つの関連する局所発電機１２５、１３５によって供給される。電力自給自足ネットワークコンピューティングステーション１１は、局所発電機（図示せず）を備える。１つまたは複数のネットワークコンピューティングステーション２１、２２、３１と対照的に、１つまたは複数の電力自給自足ネットワークコンピューティングステーション１１、１２、１３は、外部の電力供給装置に接続されないことが好ましい。２つの局所発電機１２５、１３５は、局所電力網４０と接続される。３つのネットワークコンピューティングステーション２１、２２、３１は、局所電力網４０と直接的な形で接続されていない電力網４と接続される。さらに、ネットワークコンピューティングステーション３１は、資源管理装置３１と呼ばれる。３つのネットワークコンピューティングステーション２１、２２、３１および３つの電力自給自足ネットワークコンピューティングステーション１１、１２、１３は、それぞれ、通信手段２１１、２２１、３１１、１１１、１２１、および１３１を備える。２つの局所発電機１２５および１３５はそれぞれ、通信手段の機能性を提供する制御装置１２５２および１３５２を備える。
【００３５】
３つのネットワークコンピューティングステーション２１、２２、３１と、３つの電力自給自足ネットワークコンピューティングステーション１１、１２、１３と、２つの局所発電機１２５、１３５とは、左右の矢印によって表示される通信ネットワーク２０００を経由して通信する。さらに、ネットワークコンピューティングステーション３１は、さらに通信ネットワーク１０００を経由して通信することが可能である。通信手段２１１、２２１、３１１、１１１、１２１、１３１、および制御装置１２５２、１３５２は、以下の搬送技法銅リンクおよび／またはファイバリンク、無線リンク、ならびに／あるいは光リンクのうちの１つもしくは複数に基づく通信技法を提供できる。好ましくは、通信手段２１１、２２１、３１１、１１１、１２１、１３１、および制御装置１２５２、１３５２は、ＩＰパケットベースの通信プロトコル（ＩＰ＝インターネットプロトコル）、ならびにＴＣＰ／ＩＰスタック（ＴＣＰ＝伝送制御プロトコル）を提供する。電力自給自足ネットワーキングステーションが、風力エネルギー、太陽エネルギー、潮力エネルギーなどの環境エネルギーだけが利用可能であり、有線搬送技法および／またはファイバ搬送技法に基づく通信ネットワークが利用可能でない地域に配置されるとき、無線リンクおよび光リンクは好ましい搬送技法である。
【００３６】
局所発電機１２５、１３５は、グループ風力エネルギー、太陽エネルギー、潮力エネルギー、地熱エネルギーから選択された１つまたは複数のエネルギー資源から電力を生産する発電機である。局所発電機１２５、１３５は、ブロックタイプ火力発電所であることも考えられる。局所発電機１２５、１３５は、局所電力網４０を経由して、２００Ｖから７００Ｖの範囲の低電圧を有する電力を提供することが好ましい。電力網４は、それぞれ、６ｋＶから３０ｋＶもしくは５０ｋＶから１５０ｋＶの範囲の中電圧または高電圧を有する電力を提供することが可能である。電力網４と局所電力網４０と間に変流器を接続できる。
【００３７】
あるネットワークコンピューティングステーション２１、２２、３１またはある電力自給自足ネットワークコンピューティングステーション１１、１２、１３から別のネットワークコンピューティングステーション２１、２２、３１および別の電力自給自足ネットワークコンピューティングステーション１１、１２、１３に処理されている間、および、その逆の間も、ＩＴサービスを提供するネットワークコンピューティングクラスタ１０１はＩＴサービスの継ぎ目ない伝送を提供する。詳細には、資源管理装置３１もＩＴサービスを処理できる。
【００３８】
処理されているＩＴサービスのライブマイグレーションプロセス、すなわち、ＩＴサービスの継ぎ目のない伝送は、以下の通りである：
１つまたは両方の局所発電機１２５、１３５によって生成された、局所的に生成された電力の量は、好ましくは、２つの局所発電機１２５、１３５のワットメータを用いて決定される。局所的に生成された電力の量に応じて、制御信号は、通信ネットワーク２０００を経由して、ネットワークコンピューティングクラスタ１０１の資源管理装置３１に送信される。例えば、局所的に生成された電力の量は、事前に定義されたしきい値レベルを超え、かつ／または少なくとも１つのＩＴサービスを処理するために十分である。また、同様に、電力自給自足ネットワークコンピューティングステーション１１は、制御信号を資源管理装置３１に送信することが可能である。制御信号は、局所的に生成された電力の量を含む。制御信号はさらに、ＩＴサービスを処理するための電力自給自足ネットワークコンピューティングステーション１１、１２、１３の能力を表示する。資源管理装置３１は、通信ネットワーク２０００を経由して、前記制御信号を受信する。前記制御信号によってトリガされ、資源管理装置３１は、ネットワークコンピューティングステーション、例えば、ネットワークコンピューティングステーション２１によって処理されたＩＴサービスを伝送するための信号を、通信ネットワーク２０００を経由して、前記ネットワークコンピューティングステーションに送信する。最終的に、資源管理装置３１は、ＩＴサービスをさらに処理するために、前記ネットワークコンピューティングステーション２１によって処理された前記ＩＴサービスを、通信ネットワーク２０００を経由して、１つまたは複数の電力自給自足ネットワークコンピューティングステーション１１、１２、１３のうちの１つ、例えば、電力自給自足ネットワークコンピューティングステーション１１に伝送する。好ましくは、ＩＴサービスを伝送するプロセスは、あるネットワークコンピューティングステーションもしくは電力自給自足ネットワークコンピューティングステーションから別のネットワークコンピューティングステーションまたは別の電力自給自足ネットワークコンピューティングステーションにＩＴサービスの継ぎ目のない伝送、すなわち、ＩＴサービスの品質を損なわないＩＴサービスの伝送を提供する、ＩＴサービスのライブマイグレーションプロセスである。
【００３９】
図２ａは、関連する局所発電機１１５を備えた電力自給自足ネットワークコンピューティングステーション１１の第１の好ましい実施形態の概略図を示す。電力自給自足ネットワークコンピューティングステーション１１は、局所発電機１１５と、アキュムレータ１１４と、局所電力制御装置１１３と、いくつかの処理ブレード１１７１、１１７２、１１７３、１１７４、１１７５、１１７６、１１７７を備えた処理ユニット１１７と、通信手段１１１と、局所資源管理クライアント１１２と、スイッチ１１６とを備える。局所発電機１１５は、スイッチ１１６によってスイッチをオンすることまたはオフすることができ、局所電力制御装置１１３によって制御可能である。局所発電機１１５は、局所的に生成された電力、局所的に消費された電力、および／または局所発電機１１５の負荷を決定することを可能にする電力センサ１１５１をさらに備える。アキュムレータ１１４は、アキュムレータ充電状態センサ１１４１を備える。アキュムレータ１１４は、局所電力制御装置１１３によって制御可能である。局所電力制御装置１１３は、処理ユニット１１７と、処理ブレード１１７１、１１７２、１１７３、１１７４、１１７５、１１７６、１１７７とを制御する。デバイス局所電力制御装置１１３と、処理ユニット１１７と、処理ブレード１１７１、１１７２、１１７３、１１７４、１１７５、１１７６、１１７７と、局所資源管理クライアント１１２との間の通信、ならびに通信ネットワーク２０００を経由した通信は、通信手段１２１によって実現される。局所電力網は、局所電力制御装置１１３によって提供される。電力自給自足ネットワークコンピューティングステーション１１は、外部の電力網または別の電力網に接続されない。さらに、局所資源管理クライアント１１２は、スイッチ１１６の状態を感知して、スイッチ１１６を制御する。それによって、局所資源管理クライアント１１２は、処理ユニット１１７によって処理されたすべてのＩＴサービスが中断されて、資源管理装置３１に伝送され、局所発電機１１５および処理ユニット１１７の電源を安全にオフできるまで、局所発電機１１５の電源オフ手順を遅延させることが可能である。しかし、局所発電機１１５の電源オフ手順の遅延は、ＩＴプロセスの伝送の間に、そのプロセスに必要な電源を電力自給自足ネットワークコンピューティングステーション１１に提供できるアキュムレータ１１４が存在しない場合だけ必要とされる場合がある。電力自給自足ネットワークコンピューティングステーションが電力網４および／または局所電力網４０に接続されることも可能である。それによって、アキュムレータ１１４が存在しない場合、またはアキュムレータ１１４が十分充電されていない場合、ＩＴプロセスの伝送の間に、電力網４および／または局所電力網４０を経由して提供された補助電力を使用することが可能である。そのような場合、局所発電機１１５の電源オフ手順の遅延も必要とされない。
【００４０】
詳細には、局所発電機がブロックタイプ火力発電所である場合、局所電力制御装置１１３は、局所発電機１１５によって生成された電力、ならびに局所電力制御装置１１５によって生成された熱、および処理ユニット１１７によって生成された熱を制御している。この場合、廃熱生成された処理ユニット１１７は、局所電力制御装置１１３によって生成された熱と結合されて、ブロックタイプ火力発電所の火力出力になる。処理ユニット１１７の廃熱は、建物を加熱するために使用可能であるか、または火力発電として販売可能である。
【００４１】
図２ｂは、関連する局所発電機１２５を備えた電力自給自足ネットワークコンピューティングステーション１２の第２の好ましい実施形態の概略図を示す。電力自給自足ネットワークコンピューティングステーション１２は、第１の実施形態の電力自給自足ネットワークコンピューティングステーションに類似する。局所発電機１２５は、局所電力網４０を経由してかつ／または局所電力網４０を用いて、電力自給自足ネットワークコンピューティングステーション１２に接続される。電力自給自足ネットワークコンピューティングステーション１２は、局所電力制御装置１２３と、いくつかの処理ブレード１２７１、１２７２、１２７３、１２７４、１２７５、１２７６、１２７７を備えた処理ユニット１２７と、通信手段１２１と、局所資源管理クライアント１２２とを備える。局所発電機１２５は、局所電力網４０を経由して、局所電力制御装置１２３によって制御可能である。局所発電機１２５は、局所的に生成された電力、局所的に消費された電力、および／または局所発電機１２５の負荷を決定することが可能な電力センサ１２５１を備える。さらに、局所発電機１２５は、通信ネットワーク２０００を経由して通信するための通信機能性を提供する制御装置１２５２を備えることが可能である。
【００４２】
アキュムレータ充電状態センサを備えるアキュムレータは図２ｂに示されないが、局所電力網を用いて、かかるアキュムレータを局所発電機１２５および／または電力自給自足ネットワークコンピューティングステーション１２に接続することが可能である。
【００４３】
局所電力制御装置１２３は、処理ユニット１２７と、処理ブレード１２７１、１２７２、１２７３、１２７４、１２７５、１２７６、１２７７とを制御する。デバイス局所電力制御装置１２３と、処理ユニット１２７と、処理ブレード１２７１、１２７２、１２７３、１２７４、１２７５、１２７６、１２７７と、局所資源管理クライアント１２２との間の通信、ならびに通信ネットワーク２０００を経由した通信は、通信手段１２１によって提供される。
【００４４】
図３は、処理ユニット１１７の処理ブレード１１７１の好ましい実施形態の概略図を示す。処理ブレード１１７１は、グループメインボードおよび電力供給装置１１７１と、１つまたは複数の中央処理装置１１７１２と、メモリ１１７１３と、ハードディスク１１７４と、通信手段１１７１５の１つまたは複数のデバイスとを備える。好ましくは、メインボードおよび電力供給装置１１７１は、基本入出力システムと、１つまたは複数のデバイスを相互に接続するためのシステムバスとを備える。１つまたは複数の中央処理装置１１７１２は、１つまたは複数の処理コアを備える。メモリ１１７１３は、ランダムアクセスメモリであってよく、または固体回路ディスクであってもよい。通信手段１１７１５は、電力自給自足ネットワークコンピューティングステーション１１の通信手段と同じ機能性を提供できる。さらに、処理ブレード１１７１は、メインボードおよび電力供給装置１１７１を電力自給自足ネットワークコンピューティングステーション１１の局所電力制御装置１１７に接続するための第１のリンク１１７１６と、通信手段１１７１５を電力自給自足ネットワークコンピューティングステーション１１の通信手段１１１に接続するための第２のリンク１１７１７とを備える。
【００４５】
図４は、メタネットワークコンピューティングクラスタ１の概略図を示す。メタネットワークコンピューティングクラスタ１は、ネットワークコンピューティングクラスタ１００１、１００２、１００３の１つまたは複数のクラスタを備えることが可能である。図４に示される実施形態は、ネットワークコンピューティングクラスタ１００１、１００２、１００３の３つのクラスタを描く。ネットワークコンピューティングクラスタ１００１、１００２、１００３のそれぞれのクラスタは、送電系統４に接続される。ネットワークコンピューティングクラスタ１００１、１００２、１００３のそれぞれのクラスタは、１つまたは複数のネットワークコンピューティングクラスタを備える。詳細には、ネットワークコンピューティングクラスタ１００１のクラスタは、４つのネットワークコンピューティングクラスタ１０１、１０２、１０３、１０４を備え、送電系統４に接続された資源管理ノード３０１をさらに備える。ネットワークコンピューティングクラスタ１００２のクラスタは、３つのネットワークコンピューティングクラスタ１０５、１０６、１０７を備え、送電系統４に接続された資源管理ノード３０３をさらに備える。ネットワークコンピューティングクラスタのクラスタ１００３は、ネットワークコンピューティングクラスタを備えていないが、送電系統４に接続され、ネットワークコンピューティングステーションの機能性を提供する資源管理ノード３０２を備える。送電系統４に接続されたマスタ資源管理ノード１００４は、ＩＴサービスの処理の負荷分散を行い、それを管理する。資源管理ノード３０１、３０３は、それぞれ、その関連するネットワークコンピューティングクラスタ１０１、１０２、１０３、１０４と、１０５、１０６、１０７との間のＩＴサービスの処理の負荷分散を行い、それを管理する。マスタ資源管理ノード１００４と、ネットワークコンピューティングクラスタ１００１、１００２、１００３内のクラスタ内部の資源管理ノード３０１、３０２、３０３との間の、すなわち、それぞれ、ネットワークコンピューティングクラスタ１０１、１０２、１０３、１０４および１０５、１０６、１０７と、そのそれぞれの資源管理ノード３０１および３０３との間の、インターネット１０００を経由した、それらに必要な通信は、左右の矢印によって表示されている。それによって、ネットワークコンピューティングクラスタ１０１、１０２、１０３、１０４、１０５、１０６、１０７は、１つまたは複数のネットワークコンピューティングステーションと、関連する局所１つまたは複数の発電機（図示せず）を備えた１つまたは複数の電力自給自足ネットワークコンピューティングステーションとを備えるため、ＩＴサービスの処理が余剰電力を示す場所で実行されるように、場合によっては、広く拡散された、１つまたは複数のネットワークコンピューティングステーションと、１つまたは複数の電力自給自足ネットワークコンピューティングステーションとの間にＩＴサービスの処理を効率的に分散することが可能である。さらに、電力不足が存在する場合、すなわち、ＩＴサービスを処理するために利用可能な十分な電力量が存在しない場合、資源管理ノード３０１、３０２、３０３、および／またはマスタ資源管理ノード１００４は、追加の電力が必要とされることを信号で知らせることが可能である。
【図１】
0005442115.tif 000002
【図２ａ】
0005442115.tif 000003
【図２ｂ】
0005442115.tif 000004
【図３】
0005442115.tif 000005
【図４】
0005442115.tif 000006